(57)【要約】【課題】エレベータメンテナンス支援システムにおいて、メンテナンス作業が終了すれば保守作業用設備を自動的に不作動とすることを可能とすることである。【解決手段】エレベータメンテナンス支援システム１０において、各階のエレベータ乗場のそれぞれに作業札３０が取付けられているか否かを検出する近接センサ２８が設けられ、その検出データは制御部４０に伝送される。また、乗りかご２２の操作盤３２には、保守作業の際に使用するかご下灯３６用のかご下灯ＯＮ／ＯＦＦスイッチ３４が設けられ、そのＯＮ／ＯＦＦ状態も制御部４０に伝送される。制御部４０は、かご下灯ＯＮ／ＯＦＦスイッチ３４がＯＦＦ状態か、あるいは複数の近接センサ２８の中で作業札３０が取付けられていることの検出が多くとも１以下のときに、かご下灯３６を作動状態から不作動状態に切り換える。【選択図】図１
2010159154.tif 000002
【特許請求の範囲】
【請求項１】
複数階のエレベータ乗場のそれぞれに設けられ、各階ごとに作業札が取付けられているか否かを検出する複数の作業札取付検出手段と、
保守作業の際に使用する保守作業用設備用のＯＮ／ＯＦＦ切換スイッチと、
保守作業用設備の作動／不作動を制御する制御部であって、ＯＮ／ＯＦＦ切換スイッチがＯＮ状態で、さらに複数の作業札取付検出手段の中で少なくとも２以上の作業札が取付けられていることを検出したときに、保守作業用設備を不作動状態から作動状態に切り換え、ＯＮ／ＯＦＦ切換スイッチがＯＦＦ状態か、あるいは複数の作業札取付検出手段の中で作業札が取付けられていることの検出が多くとも１以下のときに、保守作業用設備を作動状態から不作動状態に切り換える制御部と、
を備えることを特徴とするエレベータメンテナンス支援システム。
【請求項２】
請求項１に記載のエレベータメンテナンス支援システムにおいて、
制御部は、
保守作業における特定階が定められているときには、
ＯＮ／ＯＦＦ切換スイッチがＯＮ状態で、さらに、
複数の作業札取付検出手段が、特定階の作業札が取り付けられていることを検出したとき、または、特定階以外の作業札が少なくとも２以上取付けられていることを検出したときに、
保守作業用設備を不作動状態から作動状態に切り換え、
ＯＮ／ＯＦＦ切換スイッチがＯＦＦ状態か、あるいは、
複数の作業札取付検出手段が、特定階の作業札が取り付けられていないことを検出し、さらに、作業札が取付けられていることの検出が多くとも１以下であるときに、
保守作業用設備を作動状態から不作動状態に切り換えることを特徴とするエレベータメンテナンス支援システム。
【請求項３】
請求項１に記載のエレベータメンテナンス支援システムにおいて、
保守作業用設備は、エレベータのかご下に設けられるかご下灯、またはエレベータのかご上に設けられるかご上灯であることを特徴とするエレベータメンテナンス支援システム。
【発明の詳細な説明】
【技術分野】
【０００１】
本発明は、エレベータメンテナンス支援システムに係り、特に保守作業の際に使用する保守作業用設備の作動・不作動に対する支援を行うエレベータメンテナンス支援システムに関する。
【背景技術】
【０００２】
エレベータメンテナンス、すわなち、エレベータの保守作業の際に、保守対象の設備ではなくて、保守作業のために使用する保守作業用設備がある。例えば、昇降路の最下部であるピットでの作業がしやすいように点灯されるピット灯、夏季の作業時に作動させる換気ファン等が保守作業の際に用いられる。これらは保守作業の際に作動状態とされ、保守作業が終了すれば不作動状態にされるものであるが、ときに、保守作業が終了したときに、これらの保守作業用設備を不作動とすることを忘れることが生じ得る。
【０００３】
これを防止するため、例えば、特許文献１には、エレベータの作業灯及びピット灯消し忘れ防止装置として、点検灯スイッチ箱のカバー蓋にストッパ機構をつけ、点検灯スイッチが押されるとストッパピンが出て、点検灯スイッチの消灯を忘れるとカバー蓋が閉まらない構成が開示されている。
【先行技術文献】
【特許文献】
【０００４】
【特許文献１】特開平１０−５３３８０号公報
【発明の概要】
【発明が解決しようとする課題】
【０００５】
例えば、上記のピット灯を消し忘れて作業員が退去すると、乗りかごと昇降路の隙間からその光が漏れてきて、利用者等から通報が来ることがあり、その際には、再び作業員が現場に赴いて消灯することが要請される。上記特許文献１の方法によれば、点検等スイッチ箱が閉まっていないことに気づくことで、消灯忘れを防止できるが、作業員がこれに気づかずに退去することもありえる。
【０００６】
本発明の目的は、メンテナンス作業が終了すれば保守作業用設備を自動的に不作動とすることを可能とするエレベータメンテナンス支援システムを提供することである。
【課題を解決するための手段】
【０００７】
本発明に係るエレベータメンテナンス支援システムは、複数階のエレベータ乗場のそれぞれに設けられ、各階ごとに作業札が取付けられているか否かを検出する複数の作業札取付検出手段と、保守作業の際に使用する保守作業用設備用のＯＮ／ＯＦＦ切換スイッチと、保守作業用設備の作動／不作動を制御する制御部であって、ＯＮ／ＯＦＦ切換スイッチがＯＮ状態で、さらに複数の作業札取付検出手段の中で少なくとも２以上の作業札が取付けられていることを検出したときに、保守作業用設備を不作動状態から作動状態に切り換え、ＯＮ／ＯＦＦ切換スイッチがＯＦＦ状態か、あるいは複数の作業札取付検出手段の中で作業札が取付けられていることの検出が多くとも１以下のときに、保守作業用設備を作動状態から不作動状態に切り換える制御部と、を備えることを特徴とする。
【０００８】
また、本発明に係るエレベータメンテナンス支援システムにおいて、制御部は、保守作業における特定階が定められているときには、ＯＮ／ＯＦＦ切換スイッチがＯＮ状態で、さらに、複数の作業札取付検出手段が、特定階の作業札が取り付けられていることを検出したとき、または、特定階以外の作業札が少なくとも２以上取付けられていることを検出したときに、保守作業用設備を不作動状態から作動状態に切り換え、ＯＮ／ＯＦＦ切換スイッチがＯＦＦ状態か、あるいは、複数の作業札取付検出手段が、特定階の作業札が取り付けられていないことを検出し、さらに、作業札が取付けられていることの検出が多くとも１以下であるときに、保守作業用設備を作動状態から不作動状態に切り換えることが好ましい。
【０００９】
また、本発明に係るエレベータメンテナンス支援システムにおいて、保守作業用設備は、エレベータのかご下に設けられるかご下灯、またはエレベータのかご上に設けられるかご上灯であることが好ましい。
【発明の効果】
【００１０】
上記構成により、エレベータメンテナンス支援システムは、保守作業用設備用のＯＮ／ＯＦＦ切換スイッチがＯＮ状態で、さらに複数の作業札取付検出手段の中で少なくとも２以上の作業札が取付けられていることを検出したときに、保守作業用設備を不作動状態から作動状態に切り換え、保守作業用設備用のＯＮ／ＯＦＦ切換スイッチがＯＦＦ状態か、あるいは複数の作業札取付検出手段の中で作業札が取付けられていることの検出が多くとも１以下のときに、保守作業用設備を作動状態から不作動状態に切り換える。
【００１１】
作業札とは、エレベータのメンテナンス作業を行なう際に、一般利用者に保守作業中であってそのエレベータを利用することができないことを知らせるための表示札である。この作業札は、エレベータの保守作業の開始に際して、各階のエレベータの乗場に掲示され、保守作業が終わればこの掲示を外して回収される。作業札の掲示および撤去は、毎回の保守作業に際して行なわれる定常的な処理であるので、作業員にとってこの処理を忘れることは極めて少ないと考えられている。
【００１２】
上記構成によれば、保守作業用設備用のＯＮ／ＯＦＦ切換スイッチがＯＦＦ状態か、あるいは複数の作業札取付検出手段の中で作業札が取付けられていることの検出が多くとも１以下のときに、保守作業用設備を作動状態から不作動状態に切り換える。この切換は、条件が満たされれば自動的に行われるので、保守作業用設備用のＯＮ／ＯＦＦ切換スイッチをＯＦＦにすることを忘れても、ほとんどの作業札を撤去したことを検出して、自動的に保守作業用設備が不作動になる。
【００１３】
なお、保守作業中に、第３者等が作業札を取外すことも考えられるが、上記構成によれば、保守作業用設備用のＯＮ／ＯＦＦ切換スイッチがＯＮ状態であれば、少なくとも２以上の作業札が取付けられているかぎり、保守作業用設備は不作動にならない。したがって、何かの事情で、例えば１つの作業札が取外されることがあっても、保守作業に支障が生じない。
【００１４】
また、エレベータメンテナンス支援システムにおいて、保守作業における特定階が定められているときには、ＯＮ／ＯＦＦ切換スイッチがＯＮ状態で、複数の作業札取付検出手段が、特定階の作業札が取り付けられていることを検出したとき、または、特定階以外の作業札が少なくとも２以上取付けられていることを検出したときに、保守作業用設備を不作動状態から作動状態に切り換える。特定階とは、保守作業の際に特によく利用する階のことで、一般的には、昇降路の最下部にあるピットに最も近い最下層の階である。この特定階は、作業員が最も頻繁に出入りする階であり、他の階に比べ、利用者の立ち入りが最も好ましくない階である。したがって、少なくともこの特定階の作業札が取付けられているときは、仮に他の階の作業札が取外されていても、作業用設備を作動状態とするものとすることが便利である。
【００１５】
また、保守作業における特定階が定められている場合でも、ＯＮ／ＯＦＦ切換スイッチがＯＦＦ状態か、あるいは、複数の作業札取付検出手段が、特定階の作業札が取り付けられていないことを検出し、さらに、作業札が取付けられていることの検出が多くとも１以下であるときに、保守作業用設備を作動状態から不作動状態に切り換える。これによって、保守作業用設備用のＯＮ／ＯＦＦ切換スイッチをＯＦＦにすることを忘れても、特定階の作業札を撤去し、さらにそれ以外のほとんどの作業札を撤去したことを検出して、自動的に保守作業用設備が不作動になる。
【００１６】
また、エレベータメンテナンス支援システムにおいて、保守作業用設備は、エレベータのかご下に設けられるかご下灯、またはエレベータのかご上に設けられるかご上灯である。昇降路は一般的に密閉空間で暗いため、明かりを点灯して作業する機会が多く、したがって、保守作業が終わって消灯し忘れる機会も多くなり勝ちである。上記構成によれば、作業札の撤去の検出を用いて、これらの明かりを自動的に消灯することができる。
【図面の簡単な説明】
【００１７】
【図１】本発明に係る実施の形態におけるエレベータメンテナンス支援システムの構成を示す図である。
【図２】本発明に係る実施の形態において、保守作業におけるかご下灯の作動・不作動に関する手順を説明するフローチャートである。
【図３】本発明に係る実施の形態において、制御部のかご下灯の作動・不作動に関する判断論理表のうち、特に点灯条件を説明する図である。
【図４】本発明に係る実施の形態において、制御部のかご下灯の作動・不作動に関する判断論理表のうち、特に消灯条件を説明する図である。
【発明を実施するための形態】
【００１８】
以下に図面を用いて本発明に係る実施の形態につき詳細に説明する。以下では、エレベータの保守作業用設備として、かご下の昇降路内を照明するかご下灯を説明するが、これは一例であって、ＯＮ／ＯＦＦスイッチが設けられる保守作業用設備であればよい。例えば、かご上の昇降路内を照明するかご上灯であってもよく、あるいは昇降路に固定されるピット灯、昇降路灯であってもよい。また、夏季の保守作業に用いられる換気ファン、あるいは扇風機等であってもよい。また、以下では、エレベータとして、作業札を掲示する階床が４つあるいはそれ以上の場合について説明するが、特定階がある場合には少なくとも３階以上の乗場階がある建物であればよく、特定階がない場合には少なくとも２階以上の乗場階がある建物であれば、本発明がそのまま適用できる。
【００１９】
以下では、全ての図面において同様の要素には同一の符号を付し、重複する説明を省略する。また、本文中の説明においては、必要に応じそれ以前に述べた符号を用いるものとする。
【００２０】
図１は、エレベータメンテナンス支援システム１０の構成を示す図である。図１においては、６階の建物に設けられたエレベータ設備が示されている。
【００２１】
図１における昇降路１２は、建物の上下階を貫通して設けられる空間で、この中を乗りかご２２とバランス錘２４が昇降するので、保守点検のときを除き、作業員もこの中に入ることが少ない。
【００２２】
昇降路１２の最下部であるピット１４は、建物の最下層よりも下層側に設けられ、ここにいくつかのエレベータ運行用の機器、設備等が配置される。建物の屋上に設けられる機械室１６は、昇降用回転電機１８、制御部４０等が配置される空間である。したがって、エレベータのメンテナンスとして、作業員は、この機械室１６、ピット１４、乗りかご２２において、所定の保守作業を行なうことが多い。
【００２３】
昇降用回転電機１８は、その出力軸に設けられた回転体に巻き付けられた主ロープ２０を巻き上げ、あるいは巻戻しすることで、主ロープ２０の移動方向を変更し、主ロープ２０に接続される乗りかご１２を昇降させる機能を有する電動機である。かかる昇降用回転電機１８としては、交流電動機を用いることができる。
【００２４】
乗りかご２２は、昇降路１２内を昇降し、乗客等の指示に応じて目的階の間を移動する運搬かごである。バランス錘２４は、乗りかご１２の質量に釣り合わせて、昇降用回転電機１８の駆動負荷を軽減するための錘である。
【００２５】
乗りかご２２の室内に設けられる操作盤３２は、ユーザが行先階を指示する行先階登録ボタンが設けられる操作パネルであるが、その一部に、カギの掛る扉が設けられる。その扉を所定のカギを用いて開けると、保守作業用のいくつかのスイッチ類が設けられている。この扉の内部のことを保守用操作盤等と呼ぶことがあるが、ここでは、これらをまとめて操作盤３２と呼ぶことにする。
【００２６】
操作盤３２に設けられるかご下灯ＯＮ／ＯＦＦスイッチ３４は、上記のカギの掛る扉の内側に設けられる保守作業用のスイッチの１つで、保守作業用設備用のＯＮ／ＯＦＦ切換スイッチである。すなわち、かご下灯ＯＮ／ＯＦＦスイッチ３４は、保守作業用設備であるかご下灯３６の点灯、消灯について作業員が操作するスイッチである。かご下灯ＯＮ／ＯＦＦスイッチ３４は、適当な信号ケーブルを用いて昇降路１２内を経由して、機械室１６の制御部４０に接続される。
【００２７】
なお、保守作業を開始する際にかご下灯ＯＮ／ＯＦＦスイッチ３４をＯＮとしたにもかかわらず、保守作業を終了した際にこのかご下灯ＯＮ／ＯＦＦスイッチ３４をＯＦＦに戻すことを忘れ、かご下灯３６が点灯し続けることが、本発明の解決しようとする課題である。
【００２８】
かご下灯３６は、主に、ピット１４における保守作業の便宜のために、乗りかご２２の外側の底面部に設けられる照明灯である。かご下灯３６の２本の電線は、昇降路１２内を経由して、機械室１６の制御部４０に接続される。
【００２９】
建物の各階床のエレベータ乗場に設けられる近接センサ２８は、作業札３０が取付けられる箇所に設けられ、作業札３０が取付けられたことを検出する機能を有する作業札取付検出手段である。かかる近接センサ２８としては、作業札３０に一体化して取付けられる取付用磁石を検知する磁気検出センサを用いることができる。その他に、光学的近接センサとして受発光素子を用いてもよく、また静電容量式の近接センサを用いることもできる。各階の近接センサ２８の検出信号は、それぞれ独立の信号線を介して、機械室１６の制御部４０に伝送される。
【００３０】
作業札３０は、エレベータのメンテナンス作業を行なう際に、一般利用者に保守作業中であってそのエレベータを利用することができないことを知らせるための表示札である。
一例を上げると、縦が約２０ｃｍから約３０ｃｍ、横幅が約５ｃｍから約１０ｃｍ程度の短冊状のプラスチック板に、「点検作業中」あるいは「作業中につきご利用になれません」等の注意が書かれた表示札である。
【００３１】
作業札３０は、エレベータ乗場に掲示される必要があるが、最も一般的に掲示される箇所は、乗り場扉を囲む金属製の枠体である三方枠の上辺である。この金属製の三方枠に取付けしやすいように、作業札３０の裏面には磁石が貼付されている。先ほどの近接センサ２８が磁気検出方式を用いるときは、この作業札裏面の磁石からの磁気を検出することになる。
【００３２】
作業札３０は、エレベータの保守作業の開始に際して、作業員が必要な枚数を計算して作業現場に持参し、各階のエレベータの乗場に順次掲示する。そして、保守作業が終わればこの掲示を外して、その数を確認して回収される。このように、作業札の掲示および撤去は、毎回の保守作業に際して計数しながら行なわれる定常的な処理であるので、作業員にとってこの処理を忘れることは極めて少ないと考えられている。
【００３３】
なお、図１において、１階のエレベータ乗場は、保守作業において、ピット１４に最も近い階床であり、また、建物において最もアクセスの容易な階床である。これらのことから、１階のエレベータ乗場は、保守作業においても他の階床のエレベータ乗場よりも特別の意味を有するので、これを特定階２６と呼ぶことにする。特定階２６におけるエレベータ乗場は、保守作業の際に特によく利用する階で、作業員が最も頻繁に出入りする階であり、他の階に比べ、利用者の立ち入りが最も好ましくない階でもある。したがって、この特定階２６における作業札３０の掲示の役割は、他の階に比べ重要なものである。図１の例では１階が特定階２６であるが、建物の事情によっては、勿論他の階が特定階２６となることがある。
【００３４】
機械室１６に設けられる制御部４０は、エレベータ設備を構成する各要素の動作を全体として制御する機能を有するが、特にここでは、保守作業の前後におけるかご下灯３６の作動・不作動に関する制御を行う機能を有する。
【００３５】
具体的には、かご下灯３６の作動・不作動に関し、２つの機能を有する。１つは、保守作業が終了したときに、操作盤３２のかご下灯ＯＮ／ＯＦＦスイッチ３４をＯＦＦにすることを忘れても、作業札３０の撤去検出を利用して、自動的にかご下灯３６を消灯する機能である。もう１つの機能は、かご下灯３６の作動・不作動を作業札３０の取付検出を利用するものとしたときに、第３者によって作業札３０が取外されても、保守作業中であってかご下灯ＯＮ／ＯＦＦスイッチ３４がＯＮのときは、かご下灯３６を点灯し続けるものとする機能である。
【００３６】
前者の機能として、具体的には、かご下灯ＯＮ／ＯＦＦスイッチ３４がＯＦＦ状態か、あるいは複数の近接センサ２８の中で作業札３０が取付けられていることの検出が多くとも１以下のときに、かご下灯３６を作動状態から不作動状態に切り換える。これによって、かご下灯ＯＮ／ＯＦＦスイッチ３４がＯＦＦにすることを忘れても、作業員がほとんどの作業札３０を撤去したときに、自動的にかご下灯３６が消灯する。
【００３７】
図１の例では、特定階２６が設定されているので、上記の条件が以下のように変更される。すなわち、かご下灯ＯＮ／ＯＦＦスイッチ３４がＯＦＦ状態か、あるいは、複数の近接センサ２８が、特定階２６の作業札３０が取り付けられていないことを検出し、さらに、作業札３０が取付けられていることの検出が多くとも１以下であるときに、かご下灯３６を作動状態から不作動状態に切り換える。これによって、かご下灯ＯＮ／ＯＦＦスイッチ３４がＯＦＦにすることを忘れても、作業員が特定階２６の作業札３０を撤去し、さらにそれ以外のほとんどの作業札３０を撤去したときに、自動的にかご下灯３６が消灯する。
【００３８】
後者の機能として、具体的には、かご下灯ＯＮ／ＯＦＦスイッチ３４がＯＮ状態で、さらに複数の近接センサ２８の中で少なくとも２以上の作業札が取付けられていることを検出したときに、かご下灯３６を不作動状態から作動状態に切り換える。あるいは作動状態を維持し続ける。したがって、作業員によって、かご下灯ＯＮ／ＯＦＦスイッチ３４がＯＮ状態に切り換えられただけでは、かご下灯３６は点灯しないことになる。しかし、保守作業のときは、必ず各階に作業札３０が取付けられるので、通常は、作業札３０を各階に取付けた後にかご下灯ＯＮ／ＯＦＦスイッチ３４をＯＮ状態に切り換えることになるので、このような条件としても構わない。
【００３９】
一方で、保守作業中に、第３者によって作業札３０が取外されても、少なくとも２つの作業札３０が取外されなくて残っている間は、かご下灯３６は消灯しない。第３者が１つの作業札３０を取外すだけでなく、全部の作業札３０を取外し、あるいは１つの作業札３０を残して他の作業札３０を取外すような事態は、異常状態であるので、かご下灯３６が消灯し、これによって、作業員が異常状態に気づくことになる。
【００４０】
図１では、１階が特定階２６であるが、この階のエレベータ乗場には作業員がかなり頻繁に出入りする。そこで、上記の点灯継続条件は以下のように変更される。すなわち、保守作業における特定階２６が定められているときには、かご下灯ＯＮ／ＯＦＦスイッチ３４がＯＮ状態で、複数の近接センサ２８が、特定階２６の作業札３０が取り付けられていることを検出したとき、または、特定階２６以外の作業札３０が少なくとも２以上取付けられていることを検出したときに、かご下灯３６を不作動状態から作動状態に切り換える。あるいは作動状態を維持し続ける。
【００４１】
したがって、第３者によって多数の作業札３０が取外されても、特定階２６である１階の作業札３０の取付検出が継続している間は、かご下灯３６は消灯せず、保守作業に支障を与えない。
【００４２】
上記構成の作用を図２から図４を用いてさらに詳細に説明する。図２は、保守作業におけるかご下灯３６の作動・不作動に関する手順を説明するフローチャートである。なお、図２において破線枠で示した手順は、制御部４０の機能でなく、作業員の操作等であり、実線枠で示した手順が制御部４０によって実行される機能である。図３、図４は、エレベータ乗場のある階床が４階分ある建物を例として、制御部４０のかご下灯３６の作動・不作動に関する判断論理表である。
【００４３】
図２において、保守作業を行なうときは、まず、作業員が作業札３０を各階の所定の掲示箇所に取付ける（Ｓ１０）。これによって、各近接センサ２８は、作業札３０が取付けられたことを検出し、その検出データを制御部４０は取得する。作業員が全部の階に作業札３０を取り付け終わると、特定階２６である１階において乗場扉とかご扉とを開け、作業員は乗りかご２２に乗って、操作盤３２のカギの掛る扉を開いて、かご下灯ＯＮ／ＯＦＦスイッチ３４をＯＮにする（Ｓ１２）。この状態は適当な信号ケーブルを介して制御部４０が取得する。
【００４４】
次に、制御部４０は、各近接センサ２８の検出状態と、かご下灯ＯＮ／ＯＦＦスイッチ３４の状態とに基いて、かご下灯３６の点灯条件を満たしているか否かを判断する（Ｓ１４）。かご下灯３６の点灯条件は、上記のように、特定階２６が定められているので、かご下灯ＯＮ／ＯＦＦスイッチ３４がＯＮ状態で、複数の近接センサ２８が、特定階２６の作業札３０が取り付けられていることを検出したこと、または、特定階２６以外の作業札３０が少なくとも２以上取付けられていることを検出したことである。
【００４５】
この点灯条件が満たされない場合は、かご下灯３６は不作動状態＝消灯状態とされる（Ｓ１６）。作業員は、Ｓ１０に戻り、例えば、作業札３０がきちんと取り付けられているか等の確認を行う。一方、この点灯条件が満たされると、かご下灯３６を不作動状態から作動状態に切り換えられ、あるいは作動状態を維持し続ける（Ｓ１８）。そして、具体的な保守作業が行なわれる。保守作業中もＳ１４の判断は、常時行われ、点灯条件が満たされなくなると、Ｓ１６へ進み、かご下灯３６が消灯状態とされる。
【００４６】
図３は、点灯条件を示す論理表である。図３では、建物の階数を４階として、４つの近接センサ２８について、その状態が、作業札３０の取付検出状態を１、非取付検出状態を０として示されている。図３に示されるように、かご下灯ＯＮ／ＯＦＦスイッチ３４がＯＦＦのときは、作業札３０の検出状態に関わらずかご下灯３６は不作動＝消灯の状態である。かご下灯ＯＮ／ＯＦＦスイッチ３４がＯＮのときは、特定階２６の作業札１の取付検出がされるか、あるいは、それ以外の階の作業札２，３，４の中で、少なくとも２つの作業札３０の取付検出がされると、かご下灯３６は点灯状態となるか、既に点灯状態であるときはその状態が維持される。
【００４７】
再び図２に戻り、保守作業が終了する（Ｓ２０）と、作業員は、特定階２６である１階において乗場扉とかご扉とを開け、作業員は乗りかご２２に乗って、かご下灯ＯＮ／ＯＦＦスイッチ３４をＯＦＦにする（Ｓ２２）。この状態は適当な信号ケーブルを介して制御部４０が取得する。そして、各階の作業札３０を順次取り外して撤去する（Ｓ２４）。これにより、各近接センサ２８は、作業札３０の非取付検出データを制御部４０にそれぞれ伝送する。
【００４８】
次に、制御部４０は、各近接センサ２８の検出状態と、かご下灯ＯＮ／ＯＦＦスイッチ３４の状態とに基いて、かご下灯３６の消灯条件を満たしているか否かを判断する（Ｓ２６）。かご下灯３６の消灯条件は、上記のように、特定階２６が定められているので、かご下灯ＯＮ／ＯＦＦスイッチ３４がＯＦＦ状態か、あるいは、複数の近接センサ２８が、特定階２６の作業札３０が取り付けられていないことを検出し、さらに、作業札３０が取付けられていることの検出が多くとも１以下であるときに、かご下灯３６を作動状態から不作動状態に切り換える。つまりかご下灯３６は自動的に消灯する（Ｓ２８）。
【００４９】
図４は、消灯条件を示す論理表である。図４に示されるように、かご下灯ＯＮ／ＯＦＦスイッチ３４がＯＦＦのときは、作業札３０の検出状態に関わらずかご下灯３６は不作動＝消灯の状態である。かご下灯ＯＮ／ＯＦＦスイッチ３４がＯＮのときは、特定階２６の作業札１の取付検出がなされず、さらに、それ以外の階の作業札２，３，４の中で、多くとも１つの作業札３０のみが取付検出される場合に、かご下灯３６は自動的に消灯状態となる。図４に示されるように、正常に作業札３０を作業員が撤去する限り、Ｓ２６が否定されることはほとんどない。
【００５０】
なお、図３は点灯条件、図４は消灯条件として説明したが、これらの条件は合わせてかご下灯３６に関する作動・不作動の論理表であり、相互に矛盾するものではない。したがって、本来的に１つの論理表であるが、特に点灯の場合を抜き出して説明したものが図３で、特に消灯の場合を抜き出して説明したものが図４である。
【００５１】
上記のように、かご下灯３６の作動・不作動について、作業者が操作するかご下灯ＯＮ／ＯＦＦスイッチ３４の状態と共に、作業札３０の取付状態を加味することで、保守作業が終了したにもかかわらず、かご下灯ＯＮ／ＯＦＦスイッチ３４をＯＦＦにし忘れた場合に、自動的にかご下灯３６を消灯させることができる。
【符号の説明】
【００５２】
１０  エレベータメンテナンス支援システム、１２  昇降路、１４  ピット、１６  機械室、１８  昇降用回転電機、２０  主ロープ、２２  乗りかご、２４  バランス錘、２６  特定階、２８  近接センサ、３０  作業札、３２  操作盤、３４  かご下灯ＯＮ／ＯＦＦスイッチ、３６  かご下灯、４０  制御部。
【図１】
2010159154.tif 000003
【図２】
2010159154.tif 000004
【図３】
2010159154.tif 000005
【図４】
2010159154.tif 000006